(57)【特許請求の範囲】
【請求項１】
釣竿と、該釣竿を挿脱できる挿入筒を先端に備えた把手部と、該把手部を横断するように軸支されたローラ回転軸の左右端にそれぞれ固定された糸巻ローラ及び手動用ギヤと、前記把手部内に内蔵された乾電池及びモータと、前記把手部の表面に設け、前記モータを作動させる巻上スイッチと、前記モータから前記糸巻ローラを固定したローラ回転軸に回転を伝達する伝達機構と、前記把手部内の前記ローラ回転軸に設けられ、前記伝達機構からの回転を遮断する遮断機構とを具備してなる電動釣竿において、前記挿入筒は前記把手部の上下方向に固定された支承軸に有底側が支承され、前記糸巻ローラ方向へ水平回動可能に形成されてなることを特徴とする電動釣竿。
【発明の詳細な説明】
【０００１】
【発明の属する技術分野】
本発明は、釣竿の把手部内に内蔵された乾電池とモータにより、糸巻きローラを回転させて釣り糸を巻き上げるようにした電動釣竿に関する。
【０００２】
【従来の技術】
従来、電動釣竿として、モータの回転軸に直接クラッチを固着し、このクラッチと係脱する糸巻きローラを回転軸に遊嵌し、釣り糸を巻き上げる時は竿を上向きして糸巻きローラを滑らせてクラッチと噛み合わせ、繰り出し時には竿を下向きして糸巻きローラを滑らせてクラッチとの噛み合わせを外すようにしたものがあった。
しかし、従来技術は、モータの回転軸が長く、しかも外方へ突出しているため吊り糸が絡み易く、またモータ回転軸と糸巻きローラが同一回転速度のため巻き上げ速度が速すぎて一度に沢山の魚が掛かったときには引き上げられないなどの問題があった。
そのため、従来技術を改良した公知技術として、実開平３−８３０６８号公報がある。
【０００３】
【特許文献】
前記実開平３−８３０６８号公報は、図５に示すように、竿１と、この竿１に一体に連設された把手部２と、この把手部２内に収納された電池３及びモータ４と、前記把手部２の表面に設けられた前記モータ駆動用のスイッチ５と、前記把手部２から前記竿１と略平行に突設された前記モータ４の回転軸に略平行に把手部固定的に突設した固定軸６と、この固定軸６に回転自在に設けられたクラッチ９と、前記モータ４の回転軸６のプーリ１０と前記クラッチ９の外周との間に掛け渡されたベルト１２と、前記固定軸６の竿先側に回動自在かつ摺動自在に設けられると共に、この摺動によって前記クラッチ９と係脱する糸巻ローラ１３とを具備してなる電動釣具である。
【０００４】
【発明が解決しようとする課題】
しかしながら、前記電動釣具は、クラッチと係脱する糸巻きローラとにより、釣り糸を巻き上げるときは竿を上向きして糸巻きローラを滑らせてクラッチと噛み合わせ、繰り出し時には竿を下向きして糸巻きローラを滑らせてクラッチとの噛み合わせを外すようにしたもので不便であった。
そこで、本発明は、釣り糸を巻き上げる時や繰り出し時に、釣り竿を上向きや下向きにすることなく釣り糸の巻き上げ繰り出しができ、且つ手動巻き上げ繰り出しもできる構造が簡単な電動釣竿を提供することを目的とする。
【０００５】
【課題を解決するための手段】
本発明の電動釣竿は、釣竿と、該釣竿を挿脱できる挿入筒を先端に備えた把手部と、該把手部を横断するように軸支されたローラ回転軸の左右端にそれぞれ固定された糸巻ローラ及び手動用ギヤと、前記把手部内に内蔵された乾電池及びモータと、前記把手部の表面に設け、前記モータを作動させる巻上スイッチと、前記モータから前記糸巻ローラを固定したローラ回転軸に回転を伝達する伝達機構と、前記把手部内の前記ローラ回転軸に設けられ、前記伝達機構からの回転を遮断する遮断機構とを具備してなるものにおいて、前記挿入筒は前記把手部の上下方向に固定された支承軸に有底側が支承され、前記糸巻ローラ方向へ水平回動可能に形成されてなるものである。
【０００６】
【実施例】
以下、本発明の電動釣竿の一実施例を図面に基づいて説明するが、これに限定されるものではない。
図１、図２に示すように、本発明の電動釣竿は、内部に単３形乾電池（図示せず）とモータ１を内蔵した把手部２と、該把手部２先端の水平回動可能な挿入筒３に挿脱自在に取り付けられる釣竿４とからなる。
前記単３形乾電池（図示せず）は、前記把手部２の底部に設けられた電池カバー５内に１本内蔵されており、前記電池カバー５を左右回動させるとON/OFFするスイッチとなっており、前記モータ１の直接駆動は前記把手部２表面に形成した巻上スイッチ６を押すことにより行う。
また、図３に示すように、前記把手部２先端外側に、右端に手動用ギヤ７を固定し、左端に糸巻ローラ８を固定したローラ回転軸９を前記把手部２を左右横断するように軸支し、前記把手部２内側に前記ローラ回転軸９に前記モータ１の回転を伝達する、後述する伝達機構を連結し、前記ローラ回転軸９には前記モータ１の回転駆動力を遮断する、後述する遮断機構を設ける。
図４に示すように、前記把手部２先端に上下方向に固定された支承軸１０が設けられ、該支承軸１０に前記挿入筒３の有底側が支持され、前記挿入筒３は水平状態で図１に示す状態から左回動可能、すなわち図４に示す実線位置の前記糸巻ローラ８方向へ釣糸ガイド１１の位置まで回動可能に形成される。
図１に示す状態では、前記糸巻ローラ８に巻回された釣糸１２は、図２に示すように前記糸巻ローラ８の下部（図２では左側）から繰り出され、釣糸ガイド１１に案内されて釣竿４の糸通し１３を経て釣竿４先端から繰り出される。
【０００７】
前記モータ１に連結された伝達機構及び前記モータ１の回転駆動力を遮断する遮断機構を図面に基づいて説明する。
図３に示すように、前記伝達機構は、前記把手部２に内蔵されたモータ１の出力軸１４に第１傘歯車１５が固定され、該第１傘歯車１５に第２傘歯車１６が直角に噛み合わされ、該第２傘歯車１６と一体に固定された小歯車１７が前記把手部２に左右横断するように軸支された第１回転軸１８に固定される。
さらに、前記小歯車１７に大歯車１９が噛み合わされ、該大歯車１９と一体に固定された中歯車２０が前記把手部２に左右横断するように軸支された第２回転軸２１に固定される。
したがって、モータ１の回転は、出力軸１４から第１傘歯車１５→第２傘歯車１６／小歯車１７→大歯車１９／中歯車２０を介して伝達される。
一方、前記遮断機構は、前記ローラ回転軸９の軸方向溝に係合して摺動可能で且つ回転する平歯車２２を設け、該平歯車２２の左側面には前記把手部２に回動自在に上下方向に軸支された摺動レバー２３が当接され、図４に示すように前記摺動レバー２３を実線の位置から一点鎖線の位置へ移動させることにより前記摺動レバー２３下部で前記平歯車２２を右方向、すなわち図３に示すように実線の位置から一点鎖線の位置へ押出可能に構成し、さらに前記平歯車２２の右側面と前記把手部２内面との間には前記ローラ回転軸９に巻回させた戻しバネ２４を設け、前記平歯車２２に常時左方向への付勢力を与えるように構成する。
なお、前記糸巻ローラ８と前記把手部２、前記手動用ギヤ７と前記把手部２との間に間隙を形成するように前記ローラ回転軸９を少し長く形成して前記平歯車２２を固定し、前記摺動レバー２３の回動で前記ローラ回転軸９全体、すなわち糸巻ローラ８、平歯車２２、手動用ギヤ７を一体で移動させるように構成しても良い。
したがって、図４に示すように前記摺動レバー２３を実線位置から一点鎖線位置に回動させることにより前記戻しバネ２４を圧縮させて前記平歯車２２を右方向に移動させることができ、前記摺動レバー２３を実線位置に戻すことにより前記戻しバネ２４の復元力により前記平歯車２２を元の位置に戻すことができる。
そして、前記摺動レバー２３の実線位置で前記第２回転軸２１の前記中歯車２０に前記ローラ回転軸９の前記平歯車２２を噛み合わせるように構成する。
【０００８】
次に、本発明の電動釣竿の使用方法を図面に基づいて説明する。
図１、図２に示すように、あらかじめワカサギ釣り用の釣竿４を挿入筒３に差し込み、把手部２と釣竿４とを結合し、釣糸１２には錘や釣針などの仕掛けがすでに取り付けられて糸巻ローラ８に巻かれている。
錘が湖底に着地するまで釣糸１２を繰り出すには、釣竿４、すなわち釣竿４が挿入された挿入筒３を図１の状態から図４の状態に回動させると、釣竿４がローラ回転軸９の軸方向に位置するので、釣糸１２は釣糸ガイド１１から外れ、前記糸巻ローラ８の円周縁端を螺旋回転しながら乗り越えて錘の重量により繰り出される。
何もしなければ、錘が湖底に着地するまで釣糸１２が繰り出されるので、着地したら釣竿４を図１に示す位置へ戻すと釣糸１２は通常の巻取り位置となり、それ以上の繰り出しは防止される。
【０００９】
タナを取りながら釣糸１２を繰り出すには、図１に示す状態で摺動レバー２３を図４に示す一点鎖線位置へ回動させると、図３に示すように前記摺動レバー２３により平歯車２２が一点鎖線位置へ滑動し、前記平歯車２２と中歯車２０との噛み合わせが外される。
すると、ローラ回転軸９は回転自由となり、錘の重量により前記ローラ回転軸９、すなわち糸巻ローラ８が回転して釣糸１２が釣糸ガイド１１に案内されて繰り出される。
中断するには、前記摺動レバー２３を実線位置へ戻すと前記平歯車２２と中歯車２０とが噛み合い、前記ローラ回転軸９の回転が停止する。
【００１０】
釣糸１２を巻き上げるには、あらかじめ電池カバー５のスイッチをON側に回転させておき、巻上スイッチ６を親指で押すことによりモータ１が駆動されて出力軸１４から第１傘歯車１５→第２傘歯車１６／小歯車１７→大歯車１９／中歯車２０を介して回転が伝達される。
さらに、前記中歯車２０に噛み合っている平歯車２２が回転してローラ回転軸９が回転されるので、前記ローラ回転軸９に固定されている糸巻ローラ８が回転する。
このようにして、糸巻ローラ８の回転で釣糸１２が釣糸ガイド１１に案内されて巻き上げられるが、巻上スイッチ６の親指を放すとモータ１の駆動が停止されて釣糸１２の巻き上げがストップする。
【００１１】
もし、乾電池（図示せず）が消耗してモータ１が駆動されない場合には、図１に示すクランク状の手動レバー２５の嵌合筒２６を前記ローラ回転軸９の手動用ギヤ７へ嵌合して手動レバー２５を利用可能にセットする。
なお、前記手動レバー２５を常時手動用ギヤ７へ取り付けていても良いが、電動で利用する際には邪魔になるので外しておいた方がよい。
そして、図４に示すように前記摺動レバー２３を実線位置から一点鎖線位置へ回動させて前記中歯車２０と平歯車２２との噛み合わせを外し、手動レバー２５を廻して前記ローラ回転軸９を直接回転させて糸巻ローラ８を回転して釣糸１２を釣糸ガイド１１に案内させて巻き上げる。
なお、前記手動レバー２５は、乾電池が消耗してモータ１が駆動されない場合以外でも、必要に応じて自由に使用可能である。
【００１２】
【効果】
以上述べた如く、本発明の電動釣竿は、釣糸を巻き上げる時や繰り出し時に、釣竿を上向きや下向きにすることなく釣糸の巻き上げ繰り出しができ、且つ手動による巻き上げ繰り出しもでき、しかも構造が簡単である。
【図面の簡単な説明】
【図１】本発明の電動釣竿の平面図である。
【図２】本発明の電動釣竿の側面図である。
【図３】本発明の電動釣竿の要部拡大断面図である。
【図４】本発明の電動釣竿の繰り出し時の要部平面図である。
【図５】従来の電動釣具の説明図である。
【符号の説明】
１  モータ
２  把手部
３  挿入筒
４  釣竿
５  電池カバー
６  巻上スイッチ
７  手動用ギヤ
８  糸巻ローラ
９  ローラ回転軸
１０  支承軸
１１  釣糸ガイド
１２  釣糸
１３  糸通し
１４  出力軸
１５  第１傘歯車
１６  第２傘歯車
１７  小歯車
１８  第１回転軸
１９  大歯車
２０  中歯車
２１  第２回転軸
２２  平歯車
２３  摺動レバー
２４  戻しバネ
２５  手動レバー
２６  嵌合筒
【図１】
0003665807.tif 000002
【図２】
0003665807.tif 000003
【図３】
0003665807.tif 000004
【図４】
0003665807.tif 000005
【図５】
0003665807.tif 000006